(57)【特許請求の範囲】
【請求項１】
油圧ポンプを方向切換弁を介してアクチュエータに接続する高圧管路に介設され、ケース内部に収容したエレメントにより高圧油のごみ等を濾過するインラインフィルタにおいて、
エレメント(4) の外周面とケース(5) との間に形成した環状通路(10)に連通する複数の入口通路(5d,5e, 5p〜5s) を、エレメント(4) の濾過面とほぼ直角方向に、エレメント(4) の軸心方向に所定間隔おいて、ケース(5) にそれぞれ形成し、ケース(5) に固定されると共にエレメント(4) の端部に当接してエレメント(4) を支持する蓋部材(6) に、エレメント(4) の内側に連通する一つの出口通路(6c)を形成したことを特徴とするインラインフィルタ。
【請求項２】
請求項１に記載のインラインフィルタにおいて、複数の油圧ポンプ(1A,1B) と一つの方向切換弁(3) との間に介設されると共に、複数の入口通路(5d,5e, 5p〜5s) を、複数の油圧ポンプ(1A,1B) の各吐出口(1a,1b) にそれぞれ接続されたことを特徴とするインラインフィルタ。
【請求項３】
請求項１に記載のインラインフィルタにおいて、油圧ポンプ(1) 又は方向切換弁(3) に直接、固定されたことを特徴とするインラインフィルタ。
【発明の詳細な説明】
【０００１】
【発明の属する技術分野】
本発明はインラインフィルタに関する。
【０００２】
【従来の技術】
油圧機器に使用されるインラインフィルタは、エレメントの清掃や交換等の整備作業が不可欠であるが、整備頻度を少なくしたり、整備作業を容易にして整備工数を低減する要求がある。このような要求に対して、図５及び図６に示す実開平４−８７３６９号公報に記載されたインラインフィルタについて説明する。
なお、各構成要素の後に記す括弧内には相当する本発明の構成要素を記し、以後は本発明の構成要素で示す。
図において、油圧ポンプ１と方向切換弁３とは、油圧ポンプ１の吐出ポート１ａに直接マウントされた高圧インラインフィルタ（インラインフィルタ）２とパイピング１１とにより接続される。インラインフィルタ２のケース５にはエレメント４が収容される。
【０００３】
【発明が解決しようとする課題】
しかしながら、上記従来技術には次のような問題がある。
油圧ポンプ１の吐出ポート１ａからの吐出油は、ケース５に形成された出口通路５ａから遠いエレメント４の部分よりも出口通路５ａに近いエレメント４の部分の方を通過し易いため、エレメント４が平均的に濾過機能を発揮しない。従って、出口通路２ａに近いエレメント４の部分が詰まってくると、出口通路２ａから遠いエレメント４の部分の詰りが限界になる前であってもエレメント４の濾過抵抗が増大してくる。このため、エレメント４の清掃や交換等の整備頻度が多くなって整備工数が増加する。
【０００４】
本発明は上記従来の問題点に着目してなされたもので、エレメントの清掃や交換等の整備頻度を減少させるインラインフィルタを提供することを目的とする。
【０００５】
【課題を解決するための手段および作用効果】
上記目的を達成するために、第１の発明に係るインラインフィルタは、油圧ポンプを方向切換弁を介してアクチュエータに接続する高圧管路に介設され、ケース内部に収容したエレメントにより高圧油のごみ等を濾過するインラインフィルタにおいて、エレメントの外周面とケースとの間に形成した環状通路に連通する複数の入口通路を、エレメントの濾過面とほぼ直角方向に、エレメントの軸心方向に所定間隔おいて、ケースにそれぞれ形成し、ケースに固定されると共にエレメントの端部に当接してエレメントを支持する蓋部材に、エレメントの内側に連通する一つの出口通路を形成したことを特徴とする。
【０００６】
第１の発明によれば、エレメントの濾過面とほぼ直角方向に形成した複数の入口通路から圧油を供給すると、各入口通路はエレメントの軸心方向に所定間隔おいて形成してあるので、流入する圧油はエレメントの濾過面全体にわたって均一に濾過される。従って、エレメントの全濾過面が平均的に濾過機能を発揮するため整備頻度が減少して整備工数が低減する。また、インラインフィルタは、複数の入口通路に接続された供給管路の圧油をエレメントで濾過すると共に、合流させて一つの出口通路から排出する機能を有するため、合流ブロックとインラインフィルタとを別々に設ける必要がなく構成がコンパクトになる。
【０００７】
第２の発明に係るインラインフィルタは、第１の発明において、複数の油圧ポンプと一つの方向切換弁との間に介設されると共に、複数の入口通路を、複数の油圧ポンプの各吐出口にそれぞれ接続されたことを特徴とする。
【０００８】
第２の発明によれば、複数の油圧ポンプの吐出圧油はそれぞれ、インラインフィルタの複数の入口通路に供給されてエレメントにより濾過されたのち、インラインフィルタの一つの出口通路から合流して排出される。従って、コスト的に大容量ポンプを複数の小容量ポンプに分割する方法がばしば行われるが、インラインフィルタは本来の濾過機能だけでなく合流ブロックの機能も兼用するため、装置がコンパクト化されると共にコストも低減される。
【０００９】
第３の発明に係るインラインフィルタは、第１の発明において、油圧ポンプ又は方向切換弁に直接、固定されたことを特徴とする。
【００１０】
第３の発明によれば、油圧ポンプと方向切換弁との中間にインラインフィルタを配置した場合に比較して、油圧配管が途中で中断されることもなく、また、インラインフィルタのマウント用ブラケット等が不要となり、これに伴い配管の本数や構造も簡素化されると共に、設置上の煩雑さが解消され、コスト的にも低減される。特に、インラインフィルタを方向切換弁に直接固定すると、エンジンの振動や油圧ポンプの脈動の影響を直接受けることがなく、その分耐久性が向上する。
【００１１】
【発明の実施の形態】
以下に、本発明に係る実施形態を図１〜４に基づいて説明する。
先ず、図１，２により第１実施形態の第１適用例を説明する。なお、図５，６に示す従来の技術と同様な構成要素には同一符号を付してその説明を省略する。インラインフィルタ２は、エレメント４、ケース５及び蓋部材６とを有する。ケース５内には、エレメント４を収納する収納室５ａが形成され、収納室５ａの一端部には、エレメント４の一端部４ａが嵌合する嵌合穴５ｂが形成される。また、収納室５ａの他端部は開口部を有し、この開口部には、蓋部材６の嵌合部６ｂが嵌挿される嵌合孔５ｃが設けられている。蓋部材６の嵌合部６ｂには、エレメント４の他端部４ｂが嵌挿される嵌合孔６ａが形成され、この嵌合孔６ａは蓋部材６に形成された一つの出口通路６ｃに連通する。ケース５の収納室５ａ内にエレメント４が収納されている状態で、この出口通路６ｃがエレメント４の内側に連通するようになっている。エレメント４の他端部４ｂと嵌合孔６ａとの嵌合部はＯリング８によりシールされ、嵌合部６ｂと嵌合孔５ｃとの嵌合部はＯリング９によりシールされる。エレメント４の一端部４ａが収納室５ａの一端部の嵌合孔５ｂに嵌合し、他端部４ｂが蓋部材６の嵌合孔６ａに嵌合しているとき、エレメント４の外周面と収納室５ａの内壁との間には環状通路１０が形成される。蓋部材６はボルト７によりケース５に固定される。
また、ケース５には、エレメント４の濾過面とほぼ直角方向でエレメント４の軸心方向に所定間隔おいて、環状通路１０に連通する二つの入口通路５ｄ，５ｅが形成される。インラインフィルタ２は、二つの入口通路５ｄ，５ｅがそれぞれ油圧ポンプ１の分岐した二つの吐出口１ａ，１ｂに接続するように、図示しないボルトにより油圧ポンプ１側からインラインフィルタ２のねじ穴５ｆに締付けて油圧ポンプ１に直接、固定される。なお、二つの吐出口１ａ，１ｂは別のブロックに形成して油圧ポンプ１に固定するようにしてもよい。
【００１２】
第１実施形態の第１適用例によれば、油圧ポンプ１の吐出圧油は二つの吐出口１ａ，１ｂからそれぞれインラインフィルタ２の入口通路５ｄ，５ｅに供給され、環状通路１０からエレメント４を通過して濾過された後、一つの出口通路６ｃに排出される。
油圧ポンプ１の各吐出圧油は、エレメント４の濾過面とほぼ直角方向に形成された二つの入口通路５ｄ，５ｅから供給されるため、エレメント４の濾過面を通過する圧油量が軸方向に均等化される。従って、エレメント４の全濾過面が平均的に濾過機能を発揮するため整備間隔が延長されて整備工数が低減する。
また、エレメント４の清掃や交換時にはボルト７を弛めて蓋部材６を図１に示した矢印Ａ方向に取外すと、エレメント４の他端部４ｂと蓋部材６の嵌合穴６ａとの嵌合部にはＯリング８の圧接力が作用しているため、蓋部材６と共にエレメント４が同時に矢印Ａ方向に移動して油が付着したエレメント４に手を触れる必要がない。従って、エレメント交換作業が容易となる。
また、インラインフィルタ２を油圧ポンプ１に直接、固定したため、油圧ポンプ１と方向切換弁３との中間にインラインフィルタ２を配置した場合に比較して、油圧配管が途中で中断されることもなく、また、インラインフィルタ２のマウント用ブラケト等が不要となるため、これに伴い配管の構造も簡素化されると共に、設置上の煩雑さが解消され、コスト的にも低減される。
【００１３】
次に、第１実施形態の第２適用例を図３により説明する。なお、図１，２に示す第１適用例と同様な構成要素には同一符号を付してその説明を省略する。
第１適用例ではインラインフィルタ２を一つの油圧ポンプ１に固定したが、本実施形態ではインラインフィルタ２を二つの油圧ポンプ１Ａ，１Ｂに固定する。その他の構成は第１適用例と同様のため説明を省略する。
【００１４】
第２適用例によれば、二つの油圧ポンプ１Ａ，１Ｂの吐出圧油はそれぞれ、インラインフィルタ２の二つの入口通路５ｄ，５ｅに供給されてエレメント４により濾過された後、インラインフィルタ２の一つの出口通路６ｃから合流して排出される。従って、例えば一つの大容量ポンプを二つの小容量ポンプに分割してコスト低減を図るとき等に、インラインフィルタ２は本来の濾過機能だけでなく合流ブロックの機能も兼用するため、専用の合流ブロックが必要ないだけでなく、インラインフィルタ２も一つになるため、装置がコンパクト化されると共にコストも低減される。その他の作用及び効果については第１適用例と同様のため説明を省略する。
【００１５】
また、第１実施形態の第３適用例を図４により説明する。なお、図１〜３に示す第１，２適用例と同様な部材には同一符号を付してその説明を省略する。
第１，２適用例ではインラインフィルタ２を一つ又は二つの油圧ポンプ１，１Ａ，１Ｂに固定したが、本適用例ではインラインフィルタ２を方向切換弁３に直接、固定する。
図において、ケース５に固定された蓋部材６は、図示しないボルトにより方向切換弁３に直接、固定される。方向切換弁３に接する蓋部材６の出口通路６ｃの部分はＯリング１２によりシールされる。また、二つの入口通路５ｄ，５ｅにはフランジ１３が図２に示すねじ穴５ｆに図示しないボルトにより固定され、フランジ１３に形成された継手部１３ａ，１３ｂに二つの油圧ポンプ１Ａ，１Ｂの吐出管路が、配管１４ａ，１４ｂによりそれぞれ接続される。なお、配管１４ａ，１４ｂがゴムホースの場合には継手部１３ａ，１３ｂは油圧ニップルが用いられる。その他の構成については第１，２適用例と同様のため説明を省略する。
【００１６】
第３適用例によれば、第１油圧ポンプ１Ａからの吐出圧油は配管１４ａ及び継手部１３ａを介してインラインフィルタ２の入口通路５ｄに供給され、第２油圧ポンプ１Ｂからの吐出圧油は配管１４ｂ及び継手部１３ｂを介してインラインフィルタ２の入口通路５ｅに供給される。入口通路５ｄ，５ｅに供給された圧油は、環状通路１０からエレメント４を通過して濾過された後、一つの出口通路６ｃから合流されて方向切換弁３に排出される。従って、インラインフィルタ２は本来の濾過機能だけでなく合流ブロックとしての機能を兼用するため、装置がコンパクト化されると共にコストも低減される。
第３適用例は第２適用例に比較して、特に、インラインフィルタ２を方向切換弁３に直接、固定したため、エンジンの振動や油圧ポンプの脈動の影響を直接受けることがなく、その分耐久性が向上する。その他の作用及び効果については第１，２適用例と同様のため説明を省略する。
【００１７】
図５により第２実施形態を説明する。なお、図１〜４示す第１実施形態の各適用例と同様な構成要素には同一符号を付してその説明を省略する。
第１実施形態ではインラインフィルタ２は二つの入口通路５ｄ，５ｅを設けたが、第２実施形態では、４個の入口通路５ｐ，５ｑ，５ｒ，５ｓが軸方向に所定間隔を有し、かつケース５の周方向にほぼ９０度のピッチで順次位相をずらした位置に設けられる。その他の構成については第１実施形態と同様のため説明を省略する。
【００１８】
第２実施形態によれば、第１実施形態に比較して、入口通路５ｐ〜５ｓの数が増加すると共に、エレメント４の全円周方向から圧油が供給されるため、エレメント４の濾過面を通過する圧油量が、更に、軸方向にも周方向にも均等化されてエレメント４の全濾過面が平均的に濾過機能を発揮する。このため、整備間隔が延長されて整備工数が低減する効果が顕著である。
なお、第２実施形態では、入口通路５ｐ，５ｑ，５ｒ，５ｓが軸方向に所定間隔を有して、ケース５の周方向にほぼ９０度のピッチで順次位相をずらした位置に設けたが、本発明はこれに限るものではなく、軸方向の所定間隔は一定である必要はなく、また、周方向の位相についても９０度のピッチで順次ずらす必要はく、ランダムに放射状に設けてエレメント４の全円周方向から平均的に圧油が供給されればよい。
【００１９】
なお、上記各実施形態におけるインラインフィルタ２の入口通路５ｄ，５ｅ，５ｐ〜５ｓは複数個であればよく、その数は必要に応じて適宜決定される。その他の作用及び効果については第１実施形態と同様のため説明を省略する。
【００２０】
以上、本発明によれば、エレメントの全濾過面が平均的に濾過機能を発揮するため整備頻度が減少して整備工数が低減する。また、インラインフィルタは、複数の入口通路に接続された供給管路の圧油をエレメントで濾過すると共に、一つの出口通路から合流させる機能を有するため、合流ブロックとインラインフィルタとを別々に設ける必要がなく構成がコンパクトになる。
【図面の簡単な説明】
【図１】本発明に係る第１実施形態の第１適用例を示す図である。
【図２】図１に示すインラインフィルタの下面図である。
【図３】本発明に係る第１実施形態の第２適用例を示す図である。
【図４】本発明に係る第１実施形態の第３適用例を示す図である。
【図５】本発明に係る第２実施形態を示す図である。
【図６】従来技術を示す図である。
【図７】図５のＡ−Ａ断面図である。
【符号の説明】
１；油圧ポンプ、  １Ａ；第１油圧ポンプ、  １Ｂ；第２油圧ポンプ、  １ａ，１ｂ；吐出口、  ２；インラインフィルタ、  ３；方向切換弁、  ４；エレメント、  ４ａ；一端部、  ４ｂ；他端部、  ５；ケース、  、  ５ａ；収納室、５ｂ；嵌合穴、  ５ｃ；嵌合孔、  ５ｄ，５ｅ，５ｐ〜５ｓ；入口通路、  ６；蓋部材、  ６ａ；嵌合穴、  ６ｂ；嵌合軸、  ６ｃ；出口通路、  ７；ボルト、  ８；Ｏリング、  ９；Ｏリング、  １０；環状通路、  １３；フランジ、１３ａ，１３ｂ；継手部。
【図１】
0003907147.tif 000002
【図２】
0003907147.tif 000003
【図３】
0003907147.tif 000004
【図４】
0003907147.tif 000005
【図５】
0003907147.tif 000006
【図６】
0003907147.tif 000007
【図７】
0003907147.tif 000008